(57)【要約】【課題】高さの微調整および段階的調整を容易に行うことができ、設定後の高さ変動やガタツキが発生しない床台の高さ調整機構を提供する。【解決手段】床台の高さ調整構造は、床架台１を構成するベース材２の受け孔部４の内周面に形成された雌ねじ部４ａに螺合する雄ねじ部６ａを有する調整ねじ部材６と、調整ねじ部材６に着脱可能に連結された調整ブロック７と、この調整ブロック７に着脱可能に連結された調整ブロック８と、調整ブロック８の下端に装着された接地部材１０とを備えている。また、ロック部材９が、受け孔部４の上面側から調整ねじ部材６に向かって挿入され、ロック部材９と調整ねじ部材６とは、ロック部材９の貫通孔９ｃから調整ねじ部材６のねじ孔６ｆに挿入、螺着されたねじ１１によって固定されている。【選択図】  図４
2005240513.tif 000002
【特許請求の範囲】
【請求項１】
床台を構成するベース材の受け孔部に形成された雌ねじ部に螺合する雄ねじ部を有する調整ねじ部材と、前記調整ねじ部材に着脱可能に連結された少なくとも一つの調整ブロックとを備えた床台の高さ調整構造において、前記調整ねじ部材と前記調整ブロックとを、前記調整ブロックに設けられた突起と、前記調整ねじ部材に設けられた凹部とを係脱可能に連結して形成したことを特徴とする床台の高さ調整構造。
【請求項２】
床台を構成するベース材の受け孔部に形成された雌ねじ部に螺合する雄ねじ部を有する調整ねじ部材を備えた床台の高さ調整構造において、前記受け孔部の上面に着脱可能なロック部材を設け、前記ロック部材の上面から前記調整ねじ部材にねじを螺着させて前記調整ねじ部材をロック部材側に付勢した状態で前記受け孔部に固定したことを特徴とする床台の高さ調整構造。
【請求項３】
床台を構成するベース材の受け孔部に形成された雌ねじ部に螺合する雄ねじ部を有する調整ねじ部材と、前記調整ねじ部材に着脱可能に連結された少なくとも一つの調整ブロックとを備えた床台の高さ調整構造において、前記受け孔部の上面に着脱可能なロック部材を設け、前記ロック部材の上面から前記調整ねじ部材にねじを螺着させて前記調整ねじ部材をロック部材側に付勢した状態で前記受け孔部に固定したことを特徴とする床台の高さ調整構造。
【請求項４】
前記ロック部材に前記調整ねじ部材に着脱可能な連結部を設け、前記ロック部材の回転を規制するため前記ベース材の一部に当該ロック部材の少なくとも一部が係脱可能な規制部を設けた請求項２または３記載の床台の高さ調整構造。
【請求項５】
前記ベース材の受け孔部の雌ねじ部を当該受け孔部の下端寄りの領域に設け、前記調整ねじ部材の上面側に、当該調整ねじ部材の外径より大径で前記受け孔部の雌ねじ部を通過不能なストッパ部を設けた請求項１〜４のいずれかに記載の床台の高さ調整構造。
【請求項６】
前記調整ねじ部材と前記調整ブロックとを、前記調整ブロックに設けられた突起と、前記調整ねじ部材に設けられた凹部とを係脱可能に連結して形成した請求項３または４記載の床台の高さ調整機構。
【発明の詳細な説明】
【技術分野】
【０００１】
本発明は、一般住宅の浴室の洗い場床面に設置される床台の高さ調整構造に関する。
【背景技術】
【０００２】
一般住宅の浴室などにおいては、浴室の出入り口と洗い場床面との段差を解消する手段として、洗い場床面に設置する床台が開発されている。このような床台は、入浴者の体重が加わる略水平方向の部材とこれらを支える複数の支持脚などで構成されている。ところが、浴室に床台を設置する場合、施工現場である浴室の出入口と洗い場床面との段差に応じてその高さを調整して設置することが必要である。このため、従来の床台においては複数の支持脚にそれぞれ高さ調整構造が設けられている。
【０００３】
従来の床台の高さ調整構造としては、支持脚をその軸心を中心に回転させると、支持脚が垂直方向に移動するねじ機構を利用したものが一般的であった。しかしながら、浴室に設置される関係上、耐食性、耐洗剤性などが求められる床台は、その構成部材の殆どが合成樹脂で形成されているため、反復荷重によりねじ部分が緩みやすいという問題がある。
【０００４】
すなわち、合成樹脂は金属材料に比べて変形しやすいので、床台への乗り降り、移動などによる重量の付加・解除が長期間にわたって反復されると、ねじ部分も変形・復元が反復されるため、ねじ部分は回転しやすい方向へ徐々に緩んでいき、支持脚部分が元の高さ位置関係を維持することが困難である。
【０００５】
このため、浴室洗い場に床台を設置して継続的に使用すると、徐々に、設定した高さからのずれが生じたり、支持脚部分にガタツキが生じたりすることがある。そこで、このような問題に対処するため、支持脚の高さ調整を行うねじ部分の緩みを防止する手段として、いわゆるダブルナット機構を利用したものがある（例えば、特許文献１参照。）。
【０００６】
【特許文献１】特開２００１−２４１１７５号公報（第５−９頁）
【発明の開示】
【発明が解決しようとする課題】
【０００７】
特許文献１に記載された、二重床の高さ調節装置を使用することにより、従来よりも長期間、二重床の高さを一定に維持することはできるが、ねじ部分が合成樹脂である場合、ダブルナット機構の効果は不十分である。このため、荷重の付加・解除が反復されると、高さが変動したり、ガタツキが生じたりしているのが実状である。また、調整高さが高い場合に使用される筒状スペーサを１個または２個連結して高さ調整した場合、荷重の付加・解除が反復されることにより、筒状スペーサが固定されるねじ部分に緩みが生じ、設定後の高さ変動やガタツキが生じることがある。
【０００８】
そのほか、特許文献１に記載の二重床の高さ調節装置の場合、床台の設置後、上面側から高さ調整作業は行うことができるものの、ダブルナットによる緩み防止機構の設定作業は、下面側から行わなければならないので、結局、床台を反転させて作業を行わざるを得ず、これらの作業に多大な手間と時間とを要している。
【０００９】
本発明が解決しようとする第１の課題は、高さの微調整および段階的調整を容易に行うことができる床台の高さ調整構造を提供することにあり、第２の課題は、高さ調整完了後の設定高さ変動やガタツキが発生しない床台の高さ調整構造を提供することにある。
【課題を解決するための手段】
【００１０】
本発明に係る床台の高さ調整構造は、床台を構成するベース材の受け孔部に形成された雌ねじ部に螺合する雄ねじ部を有する調整ねじ部材と、調整ねじ部材に着脱可能に連結された少なくとも一つの調整ブロックとを備えた床台の高さ調整構造において、調整ねじ部材と調整ブロックとを、調整ブロックに設けられた突起と、調整ねじ部材に設けられた凹部とを係脱可能に連結して形成したことを特徴とする。
【００１１】
このような構成において、調整ねじ部材を軸心を中心に正転、逆転させれば、調整ねじ部材の雄ねじ部とベース材の受け孔部の雌ねじ部との螺合により、調整ねじ部材がその軸心方向に移動するため、高さの微調整を容易に行うことができる。また、調整ねじ部材に連結する調整ブロックとして、前記軸心方向の長さの異なる複数種類の調整ブロックを用意しておけば、これらを取り替えることによって高さの段階的調整を行うことができる。
【００１２】
また、調整ブロックの突起に係脱可能に連結する凹部と、調整ねじ部材および調整ブロックの凹部に係脱可能に連結する突起を、それぞれ下部および上部に有する複数の調整ブロックを用意しておけば、これらの調整ブロックを連結することによっても高さの段階的調整を行うことができる。さらに、荷重の付加・解除が反復された場合でも、従来のねじ固定のような、ねじ部の緩みに起因する設定後の高さ変動やガタツキが生じることがなくなる。
【００１３】
また、本発明に係る床台の高さ調整構造は、床台を構成するベース材の受け孔部に形成された雌ねじ部に螺合する雄ねじ部を有する調整ねじ部材を備えた床台の高さ調整構造において、受け孔部の上面に着脱可能なロック部材を設け、ロック部材の上面から調整ねじ部材にねじを螺着させて調整ねじ部材をロック部材側に付勢した状態で受け孔部に固定したことを特徴とする。
【００１４】
このような構成とすれば、前述と同様、調整ねじ部材を軸心を中心に正転、逆転させることにより、調整ねじ部材の雄ねじ部とベース材の受け孔部の雌ねじ部との螺合により、調整ねじ部材がその軸心方向に移動するため、高さの微調整を容易に行うことができる。また、前記軸心方向の長さの異なる複数種類の調整ねじ部材を用意しておけば、これらを取り替えることによって高さの段階的調整を行うことができる。
【００１５】
また、ロック部材の上面から調整ねじ部材にねじを螺着させて当該調整ねじ部材をロック部材側に付勢した状態で受け孔部に固定することにより、調整ねじ部材は常にロック部材側に引っ張られた状態が維持される結果、受け孔部の雌ねじ部と調整ねじ部材の雄ねじ部との螺合部分の摩擦力が高められるため、高さ調整完了後の設定高さ変動やガタツキが発生しない。
【００１６】
さらに、本発明の床台の高さ調整構造は、前記調整ねじ部材に係脱可能に連結する前記調整ブロックと、前記調整ねじ部材を前記ロック部材側に付勢するねじ機構の両方を備えた構成とすることもできる。このような構成とすれば、高さの微調整および段階的調整を容易に行うことができ、高さ調整の完了後の高さ変動やガタツキも発生しない。
【００１７】
ここで、ロック部材に調整ねじ部材に着脱可能な連結部を設け、前記ロック部材の回転を規制するためベース材に当該ロック部材の少なくとも一部が係脱可能な規制部を設けた構成とすることもできる。このような構成とすれば、ロック部材の連結部を調整ねじ部材に連結させることにより、ベース材の受け孔部の上面側からロック部材を介して調整ねじ部材を回転させることが可能となるため、高さ調整作業を容易化することができる。
【００１８】
また、高さ調整完了後は、ロック部材を規制部に係合させることによってロック部材の回転を規制することができるため、荷重の付加、解除が反復されても、調整ねじ部材が回転したり、調整ねじ部分の緩みが生じたりすることがなくなり、設定後の高さ変動が発生しない。
【００１９】
一方、ベース材の受け孔部の雌ねじ部を当該受け孔部の下端寄りの領域に設け、調整ねじ部材の上面側に、当該調整ねじ部材の雄ねじ部の外径より大径で受け孔部の雌ねじ部を通過不能なストッパ部を設けることもできる。
【００２０】
このような構成とすれば、調整ねじ部材を軸心下方へ移動する方向へ回転させた場合、調整ねじ部材のストッパ部が受け孔部の雌ねじ部に接触した時点で係止されるため、調整ねじ部材の雄ねじ部と受け孔部の雌ねじ部との螺合量が一定以下になるのを阻止することができる。すなわち、調整ねじ部材の雄ねじ部と受け孔部の雌ねじ部との螺合量を一定量だけ確保することができるため、調整ねじ部材と受け孔部との螺合量不足による強度低下を回避することができる。
【００２１】
さらに、前述の構成に加え、調整ねじ部材と調整ブロックとを、調整ブロックに設けられた突起と、調整ねじ部材に設けられた凹部とを係脱可能に連結して形成した構成とすることもできる。これにより、前述した効果に加え、高さの微調整および段階的調整を容易に行うことができるようになる。
【発明の効果】
【００２２】
本発明により、以下の効果を奏することができる。
【００２３】
（１）床台を構成するベース材の受け孔部に形成された雌ねじ部に螺合する雄ねじ部を有する調整ねじ部材と、調整ねじ部材に着脱可能に連結された少なくとも一つの調整ブロックとを備えた床台の高さ調整構造において、調整ねじ部材と調整ブロックとを、調整ブロックに設けられた突起と、調整ねじ部材に設けられた凹部とを係脱可能に連結して形成したことにより、高さの微調整および段階的調整を容易に行うことができるようになる。
【００２４】
（２）床台を構成するベース材の受け孔部に形成された雌ねじ部に螺合する雄ねじ部を有する調整ねじ部材を備えた床台の高さ調整構造において、受け孔部の上面に着脱可能なロック部材を設け、ロック部材の上面から調整ねじ部材にねじを螺着させて調整ねじ部材をロック部材側に付勢した状態で受け孔部に固定したことにより、高さの微調整および段階的調整を容易に行うことができるようになり、高さ調整完了後の設定高さ変動やガタツキも発生しない。
【００２５】
（３）前記（１）および（２）の両方を備えた構成とすれば、高さの微調整および段階的調整を容易に行うことが可能となり、高さ調整完了後の設定高さ変動やガタツキも発生しない。
【００２６】
（４）ロック部材に調整ねじ部材に着脱可能な連結部を設け、ロック部材の回転を規制するためベース材に当該ロック部材の少なくとも一部が係脱可能な規制部を設れば、ベース材の受け孔部の上面側からロック部材を介して調整ねじ部材を回転できるため、高さ調整作業を容易化することができ、高さ調整完了後は、ロック部材を規制部に係合させて回転を規制することができるため、荷重の付加、解除が反復されても、ねじ部分の緩みに起因する設定後の高さ変動やガタツキが発生しない。
【００２７】
（５）ベース材の受け孔部の雌ねじ部を当該受け孔部の下端寄りの領域に設け、調整ねじ部材の上面側に、当該調整ねじ部材の雄ねじ部の外径より大径で受け孔部の雌ねじ部を通過不能なストッパ部を設ければ、調整ねじ部材の雄ねじ部と受け孔部の雌ねじ部との螺合量が一定以下になるのを阻止することができるため、調整ねじ部材と受け孔部との螺合量不足による強度低下を回避することができる。
【００２８】
（６）前記（２）〜（５）の構成に加え、調整ねじ部材と調整ブロックとを、調整ブロックに設けられた突起と、調整ねじ部材に設けられた凹部とを係脱可能に連結して形成すれば、前述した効果に加え、高さの微調整および段階的調整を容易に行うことができるようになる。
【発明を実施するための最良の形態】
【００２９】
以下、図面に基づいて、本発明の実施の形態である床台の高さ調整構造について説明する。図１は本発明の実施の形態である高さ調整構造を使用した床架台を示す平面図、図２は図１に示す床架台の側面図、図３は図１に示す床架台の部分斜視図、図４は図３におけるＡ−Ａ線断面図である。また、図５は図４に示す高さ調整構造を構成する支持脚の斜視図、図６は図４に示す支持脚を構成する調整ねじ部材を示す斜視図、図７は調整ブロック部材を示す斜視図、図８はロック部材を示す斜視図である。
【００３０】
本実施形態の床台の高さ調整構造は浴室の洗い場床面に設置される床台に使用することができるものであるが、その構造を明確に示すため、図１〜図３においては、床台を構成する床架台１を示している。この床架台１の上面を覆う表面カバー（図示せず）を取り付け、その両端部分を覆う端部カバー（図示せず）を取り付けることによって床台が形成される。
【００３１】
図１〜図３に示すように、床架台１は、矩形平板状のサポート材３と、サポート材３の下面側に取り付けられた複数のベース材２と、各ベース材２の長手方向の両端付近にそれぞれ開設された円筒状の受け孔部４と、それぞれの受け孔部４に挿入固定された支持脚５とを備えている。
【００３２】
図４，図５に示すように、本実施形態に係る床台の高さ調整構造は、床架台１を構成するベース材２の受け孔部４の内周面の下端寄りの領域に形成された雌ねじ部４ａに螺合する雄ねじ部６ａを有する調整ねじ部材６と、調整ねじ部材６に着脱可能に連結された調整ブロック７と、この調整ブロック７に着脱可能に連結された調整ブロック８と、調整ブロック８の下端に装着された接地部材１０とを備えている。また、受け孔部４の上面側からロック部材９が調整ねじ部材６に向かって挿入され、ロック部材９と調整ねじ部材６とはねじ１１によって固定されている。
【００３３】
図６に示すように、調整ねじ部材６は、上端に隔壁６ｃを有する略円筒体であり、その外周面には雄ねじ部６ａと、内側まで貫通した切り欠き部６ｂと、位置合わせ用の凹部６ｄとが形成され、隔壁６ｃの中心にはねじ孔６ｆが設けられ、ねじ孔６ｆの周囲には、後述するロック部材９の連結部９ｂを挿入するための４つの挿入孔６ｅが等間隔に設けられている。また、調整ねじ部材６の上面側には、当該調整ねじ部材６の雌ねじ部６ａの外径より大径で受け孔部４の雌ねじ部４ａを通過不能なストッパ部６ｇが設けられている。
【００３４】
図７に示すように、調整ブロック７は、円筒状の高さ調整部７ａと、この高さ調整部７ａの上端に設けられたこれより小径の円筒状の挿入部７ｂと、挿入部７ｂから軸心方向に突設された２つの突き出し部７ｃと、突き出し部７ｃからそれぞれ外周方向へ突設された突起部７ｄとを備え、高さ調整部７ａの外周には、内側まで貫通した切り欠き部７ｅと、位置合わせ用の凹部７ｆ，７ｇとが設けられている。なお、調整ブロック８は、調整ブロック７よりも高さ調整部７ａに相当する部分の長さが小さい点および切り欠き部７ｅを有していない点を除けば、調整ブロック７とほぼ同じ形状である。
【００３５】
図８に示すように、ロック部材９は、略十字形状をした係止部９ａと、その下面から軸心方向に垂下して設けられた４本の連結部９ｂとで構成され、係止部９ａの中心には軸心方向に貫通した貫通孔９ｃが設けられている。図５で示したように、ロック部材９の４本の連結部９ｂは、調整ねじ部材６の４つの挿入孔６ｅにそれぞれ出し入れ可能に挿入できるような形状、配置となっている。
【００３６】
高さ調整構造を形成する場合、調整ブロック７の挿入部７ｂおよび突き出し部７ｃを調整ねじ部材６の下面開口部分から差し込んで、調整ブロック７の２つの突き出し部７ｃの先端にある突起部７ｄを、調整ねじ部材６に設けられた２つの切り欠き部６ｂにそれぞれ内側から嵌入させる。このとき、調整ブロック７の外周にある凹部７ｆと、調整ねじ部材６の外周にある凹部６ｄとを合わせれば、突起部７ｄと切り欠き部６とが一致するようになっているため位置合わせは容易である。また、調整ブロック７に対する調整ブロック８の連結も同様の手順で行うことができる。
【００３７】
このようにして形成された支持脚５を、その調整ブロック８を下にして、ベース材２の受け部孔４の上面側から差し込み、調整ねじ部材６の雄ねじ部６ａの下端が、受け部孔４の雌ねじ部４ａの上端に当接した時点で、支持脚５全体を締め付け方向に回転させれば、雄ねじ部６ａと雌ねじ部４ａとが螺合していき、支持脚５全体が下方へ（調整ブロック８側へ）移動していく。
【００３８】
この後は、受け部孔４の上面側からロック部材９を、その連結部９ｂを下にして差し込み、連結部９ｂを調整ねじ部材６の挿入孔６ｅに挿入すれば、ロック部材９の係止部９ａを手指で把持して回転させることにより、調整ねじ部材６を介して支持脚５全体を回転させることができる。
【００３９】
支持脚５の長さが適切な長さとなったら、ロック部材９を軸心方向に押し込み、図３に示すように、係止部９ａの外周の凹部分と、受け孔部４の上面に形成された突起部４ｂとが係合するようにして取り付ける。そして、ねじ孔９ｃから軸心方向にねじ１１を差し込み、その先端を調整ねじ部材６のねじ孔６ｆに挿入して締め付ければ、支持脚５は受け孔部４に固定される。
【００４０】
支持脚５がベース材２の受け孔部４に螺合された状態にあるとき、調整ねじ部材６をその軸心を中心に正転、逆転させれば、調整ねじ部材６の雄ねじ部６ａと受け孔部４の雌ねじ部４ａとの螺合により、調整ねじ部材６がその軸心方向に移動するため、高さの微調整を容易に行うことができる。
【００４１】
また、調整ねじ部材６に連結する調整ブロック７のほかに、その軸心方向の長さの異なる複数種類の調整ブロックを用意しておけば、これらを取り替えたり、組み合わせたりして連結することによって、図９（ａ）〜（ｅ）に示すように、高さの段階的調整を行うことができる。
【００４２】
例えば、図９（ａ）は、調整ねじ部材６の下面に直接、接地部材１０を連結しているため最も短い支持脚となっている。図９（ｂ）では、調整ねじ部材６の下面に調整ブロック８を連結している。図９（ｃ）では調整ねじ部材６の下面に、調整ブロック８より調整ブロック７を連結している。図９（ｄ）では調整ねじ部材６の下面に調整ブロック７，８を連結しており、これは図４で示した構成となっている。図９（ｅ）では、調整ねじ部材６の下面に２個の調整ブロック７を連結しており、これらの例の中では最も長い支持脚となっている。
【００４３】
また、本実施形態では、受け孔部４の上面に着脱可能なロック部材９を設け、ロック部材９の上面から調整ねじ部材６にねじ１１を螺着させることにより、調整ねじ部材６をロック部材９側に付勢した状態で受け孔部４に固定している。
【００４４】
したがって、高さ調整の完了後、調整ねじ部材６は常にロック部材９側に引っ張られた状態が維持されることで強固に固定され、荷重の付加、解除が反復されても、高さ調整の完了後、高さ変動やガタツキが発生しない。
【００４５】
また、ロック部材９には、調整ねじ部材６の挿入孔６ｅに着脱可能な連結部９ｂを設けるとともに、ロック部材９の回転を規制するため、ベース材２の受け孔部４に、ロック部材９の係止部９ａが係脱可能な規制部である突起部４ｂを設けている。したがって、前述したように、ロック部材９の連結部９ｂを調整ねじ部材６の挿入孔６ｅに連結させることにより、ベース材２の受け孔部４の上面側からロック部材９を介して調整ねじ部材６を回転させることが可能であり、高さ調整作業は極めて容易である。
【００４６】
また、高さ調整完了後は、ロック部材９の係止部９ａの外周の凹部分を受け孔部４の突起部４ｂ規制部に係合させることによってロック部材９の回転を阻止することができるため、荷重の付加、解除が反復されても、調整ねじ部材６が回転することがなく、設定後の高さ変動やガタツキが発生しない。また、調整ブロック７を連結して高さ調整をした場合においても、荷重の付加・解除が反復されたとき、従来のねじ固定方式で生じていた、ねじの緩みに起因する設置後の高さ変動やガタツキが発生しない。
【００４７】
一方、図４に示すように、ベース材２の受け孔部４の雌ねじ部４ａを当該受け孔部４の下端寄りの領域に設け、調整ねじ部材６の上面側に、当該調整ねじ部材６の雌ねじ部６ａの外径より大径で受け孔部４の雌ねじ部４ａを通過不能なストッパ部６ｇを設けている。したがって、調整ねじ部材６が軸心下方へ移動する方向へ回転させた場合、調整ねじ部材６のストッパ部６ｇが受け孔部４の雌ねじ部ａに接触した時点で係止される。
【００４８】
このため、調整ねじ部材６の雄ねじ部６ａと受け孔部４の雌ねじ部ａとの螺合量が一定以下になるのを阻止することができる。すなわち、調整ねじ部材６の雄ねじ部６ａと受け孔部４の雌ねじ部４ａとの螺合量を一定量以上確保することができるため、調整ねじ部材６と受け孔部４との螺合量不足による強度低下を回避することができる。
【００４９】
次に、図１０を参照して本発明のその他の実施形態である床台の高さ調整構造について説明する。なお、図１０において、図１〜図９で示した床台の高さ調整構造の構成部分と同じ機能、効果を発揮する部分は図１〜図９と同じ符号を付して説明を省略する。
【００５０】
本実施形態では、ベース材２の受け孔部４の上面寄りの部分に隔壁１２が設けられ、この隔壁１２の軸心には貫通孔１２ｂが設けられ、この貫通孔１２ｂを中心に１８０度間隔で２つの貫通孔１２ａが設けられている。これらの貫通孔１２ａを通して上方から挿入したねじ１１の先端側を、調整ねじ部材６の上端の隔壁６ｃに螺着することによって、調整ねじ部材６が受け孔部４に固定されている。
【００５１】
２つの貫通孔１２ａはいずれも調整ねじ部材６の軸心から偏心した位置にあるため、これらの貫通孔１２ａにねじ１１を挿通して螺着することにより、高さ調整後の調整ねじ部材６の回転を有効に防止することができる。また、調整ねじ部材６は、隔壁１２側に付勢された状態で受け孔部４に固定されるため、調整ねじ部材６は常に隔壁１２側に引っ張られた状態が維持されることにより、受け孔部４の雌ねじ部４ａと調整ねじ部材６の雄ねじ部６ａとの螺合部分の摩擦力が高められる結果、ガタツキが発生しない。さらに、受け部孔４の上面側から高さ調整作業および調整ねじ部材６の固定作業を行うことが可能であるため、施工が容易である。
【産業上の利用可能性】
【００５２】
本発明に係る床台の高さ調整構造は、一般住宅の浴室の洗い場床面に設置される床台の高さ調整手段として広く利用することができる。
【図面の簡単な説明】
【００５３】
【図１】本発明の実施の形態である高さ調整構造を使用した床架台を示す平面図である。
【図２】図１に示す床架台の側面図である。
【図３】図１に示す床架台の部分斜視図である。
【図４】図３におけるＡ−Ａ線断面図である。
【図５】図４に示す高さ調整構造を構成する支持脚の斜視図である。
【図６】図４に示す支持脚を構成する調整ねじ部材を示す斜視図である。
【図７】調整ブロック部材を示す斜視図である。
【図８】ロック部材を示す斜視図である。
【図９】高さ調整構造を用いた高さ調整例を示す断面図である。
【図１０】その他の実施形態である高さ調整構造を示す断面図である。
【符号の説明】
【００５４】
１  床架台
２  ベース材
３  サポート材
４  受け孔部
４ａ  雌ねじ部
４ｂ  突起部
５  支持脚
６  調整ねじ部材
６ａ  雄ねじ部
６ｂ  切り欠き部
６ｃ  隔壁
６ｄ  凹部
６ｅ  挿入孔
６ｆ  ねじ孔
６ｇ  ストッパ部
７，８  調整ブロック
７ａ  高さ調整部
７ｂ  挿入部
７ｃ  突き出し部
７ｄ  突起部
７ｅ  切り欠き部
７ｆ，７ｇ  凹部
９  ロック部材
９ａ  係止部
９ｂ  連結部
９ｃ，１２ａ，１２ｂ  貫通孔
１０  接地部材
１１  ねじ
１２  隔壁
【図１】
2005240513.tif 000003
【図２】
2005240513.tif 000004
【図３】
2005240513.tif 000005
【図４】
2005240513.tif 000006
【図５】
2005240513.tif 000007
【図６】
2005240513.tif 000008
【図７】
2005240513.tif 000009
【図８】
2005240513.tif 000010
【図９】
2005240513.tif 000011
【図１０】
2005240513.tif 000012